(57)【特許請求の範囲】
【請求項１】
被取付部材に設けられる開口部を介して、前記被取付部材の上方に埋め込まれて固定され、かつ、ソケットが取り付けられ、前記ソケットは、取り付け箇所から所定長さで下方に突出する器具本体と、
前記器具本体の下方において、前記器具本体に取り付けられると共に、前記被取付部材の下面と平行な、前記器具本体への取り付けに用いられる取付面を有する取付面部と、前記取付面部に連続すると共に、前記取付面の端部から斜め下方に傾斜して延在する、平面状または上に凸の曲面状の反射面を備える部分を有する照射面部と、を有し、下方に開口する山形の形状である反射板と、
ＬＥＤを有し、前記反射板の内側において、前記器具本体の前記ソケットに取り付けられる、断面形状が円である直管型ＬＥＤランプと、
を備え、
前記直管型ＬＥＤランプは、前記直管型ＬＥＤランプの上側に、前記直管型ＬＥＤランプの中心から発せられる直接光が届かずに影となる範囲を有し、
前記反射板の前記取付面部の中央と前記直管型ＬＥＤランプの中心とを結ぶ直線である垂直線と、前記反射板の取付面部の、前記影となる範囲の外周縁に対応する縁部と前記直管型ＬＥＤランプの中心とを結ぶ直線である傾斜線と、がなす角度をθ１とし、
前記直管型ＬＥＤランプの、上半分の円周上にある一点についての接線であって、前記反射板の前記照射面部の最下端の点を通る接線を想定し、前記接線における前記一点を接点とし、前記接点を通り、前記接線に垂直な線を法線とし、前記法線と前記垂直線とがなす角度をθ２とした場合に、
θ１≦θ２が成立し、
前記法線が前記反射板と交わる点は、前記反射板の前記照射面部における、前記取付面部との境界を含む前記反射面を備える部分上に位置する照明器具。
【発明の詳細な説明】
【技術分野】
【０００１】
本発明は、ＬＥＤを有する直管型ＬＥＤランプを光源として取付面に埋設される照明器具に関する。
【背景技術】
【０００２】
従来より、長手方向の両端部に配置されたランプソケットに直管型の蛍光灯を取り付けた照明器具が知られている（例えば、特許文献１参照）。
特許文献１に記載の照明器具は、直管型の蛍光灯から光が放射状に出射されることにより、被照射対象である床面側を照射できる。
【先行技術文献】
【特許文献】
【０００３】
【特許文献１】特開２００７−２１３９６８号公報（図１、請求項１）
【発明の概要】
【発明が解決しようとする課題】
【０００４】
ところで、図６に示すように、特許文献１に開示された照明器具と同様に、山形の反射板１０１を有し、反射板１０１の内側に直管型の蛍光灯１０２を取り付けた照明器具１００が提案されている。
このような従来の照明器具１００は、直管型の蛍光灯１０２から放射状に出射される光が反射板１０１により反射されて、被照射対象である床面側に向けて大きな光量を照射できる。
近年、ＬＥＤ技術の発展に伴い、省エネ等の観点からＬＥＤを内蔵した直管型ＬＥＤランプを装備する照明器具が提案されている。
しかし、直管型ＬＥＤランプに内蔵されるＬＥＤは、その構造上、光の指向性が高いために、主に直射光を出射する。
図７に示すように、ＬＥＤを内蔵した直管型ＬＥＤランプの光学的な特性は、ＬＥＤが有する構造上、光の指向性が高いために、主に直射光を出射する。
そのため、このような直管型ＬＥＤランプを装備する従来の照明器具は、直管型ＬＥＤランプに内蔵されているＬＥＤの特性に伴い、上方である反射板の中央部に暗がりを生ずる。
従って、このような従来の照明器具は、反射板に映り込む暗がりにより意匠性が良好ではない。
【０００５】
本発明は、前述した課題を解決するためになされたものであり、その目的は、反射板に映り込む暗がりをなくして意匠性を向上でき、光学的な特性を改善できる照明器具を提供することにある。
【課題を解決するための手段】
【０００６】
本発明に係る照明器具は、被取付部材に設けられる開口部を介して、前記被取付部材の上方に埋め込まれて固定され、かつ、ソケットが取り付けられ、前記ソケットは、取り付け箇所から所定長さで下方に突出する器具本体と、前記器具本体の下方において、前記器具本体に取り付けられると共に、前記被取付部材の下面と平行な、前記器具本体への取り付けに用いられる取付面を有する取付面部と、前記取付面部に連続すると共に、前記取付面の端部から斜め下方に傾斜して延在する、平面状または上に凸の曲面状の反射面を備える部分を有する照射面部と、を有し、下方に開口する山形の形状である反射板と、ＬＥＤを有し、前記反射板の内側において、前記器具本体の前記ソケットに取り付けられる、断面形状が円である直管型ＬＥＤランプと、を備え、前記直管型ＬＥＤランプは、前記直管型ＬＥＤランプの上側に、前記直管型ＬＥＤランプの中心から発せられる直接光が届かずに影となる範囲を有し、前記反射板の前記取付面部の中央と前記直管型ＬＥＤランプの中心とを結ぶ直線である垂直線と、前記反射板の取付面部の、前記影となる範囲の外周縁に対応する縁部と前記直管型ＬＥＤランプの中心とを結ぶ直線である傾斜線と、がなす角度をθ１とし、前記直管型ＬＥＤランプの、上半分の円周上にある一点についての接線であって、前記反射板の前記照射面部の最下端の点を通る接線を想定し、前記接線における前記一点を接点とし、前記接点を通り、前記接線に垂直な線を法線とし、前記法線と前記垂直線とがなす角度をθ２とした場合に、θ１≦θ２が成立し、前記法線が前記反射板と交わる点は、前記反射板の前記照射面部における、前記取付面部との境界を含む前記反射面を備える部分上に位置する。
【発明の効果】
【０００８】
本発明に係る照明器具によれば、反射板に映り込む暗がりをなくして意匠性を向上でき、光学的な特性を改善できるという効果を奏する。
【図面の簡単な説明】
【０００９】
【図１】本発明に係る第１実施形態の照明器具の斜め下方から視た分解斜視図
【図２】本発明に係る第１実施形態の照明器具の垂直断面図
【図３】本発明に係る第２実施形態の照明器具の垂直断面図
【図４】本発明に係る第３実施形態の照明器具の垂直断面図
【図５】本発明に係る第４実施形態の照明器具の垂直断面図
【図６】従来の照明器具の垂直断面図
【図７】直管型ＬＥＤランプの光学的な特性図
【発明を実施するための形態】
【００１０】
以下、本発明に係る複数の実施形態の照明器具について図面を参照して説明する。
（第１実施形態）
図１に示すように、本発明に係る第１実施形態の照明器具１０は、器具本体１１と、器具本体１１の一端部に取り付けられた給電側ソケット１２と、器具本体１１の他端部に取り付けられたアース側ソケット１３と、給電側ソケット１２とアース側ソケット１３とに電気的に接続されて機械的に取り付けられる直管型ＬＥＤランプ１４と、直管型ＬＥＤランプ１４の上方に配置されて器具本体１１に取り付けられる反射板１５とを備えて取付面１に埋め込まれる埋込ベースライトである。
【００１１】
器具本体１１は、厚みの薄い金属製板部材を折曲することにより下方を開口させて成形されており、給電側ソケット１２側と、アース側ソケット１３側とに反射板取付部材１６が取り付けられている。反射板取付部材１６は、コ字形状に形成されているために、反射板１５の両側部を挟み込むようにして反射板１５を器具本体１１に取り付ける。器具本体１１は、電源端子台１７と、電源ブロック１８とを収容している。
【００１２】
直管型ＬＥＤランプ１４は、断面がほぼ円形状のガラス管１９の一端部の口金２０に、給電側ソケット１２内に収容されている不図示の一対の給電側端子受に電気的に接続される一対の給電側端子２１を有し、ガラス管１９の他端部の口金２２に、アース側ソケット１３内に収容されている不図示の一対のアース側端子受に電気的に接続される単一のアース側端子２３を有する。直管型ＬＥＤランプ１４は、給電側ソケット１２から給電された直流電流が給電側端子２１からアース側端子２３を通じてアース側ソケット１３に流れることにより点灯される。
【００１３】
図２に示すように、反射板１５は、内面が白色や乳白色に塗装されており、上端部に器具本体１１への取付面部２４を有し、取付面部２４の両側部の内面に照射面部である平面でハ字形状の一対の反射面２５を有する。反射板１５は、反射面２５の下端部にフランジ形状の額縁部２６を有する。額縁部２６は取付面１の下面に当接される。
【００１４】
直管型ＬＥＤランプ１４は、ガラス管１９内に、複数のＬＥＤ２７を器具本体１１の長手方向に実装させたＬＥＤ基板２８を有するＬＥＤユニット２９を内蔵している。直管型ＬＥＤランプ１４は、被照射対象に向けた下方の照射範囲が全周に対して１／２ないし２／３である。
【００１５】
そして、直管型ＬＥＤランプ１４は、給電側端子２１が給電側ソケット１２に取り付けられるとともにアース側端子２３がアース側ソケット１３に取り付けられることにより、上方の影となる反射板１５の範囲の垂直線Ｖ１に対する角度θ１と、反射板１５の額縁部２６から直管型ＬＥＤランプ１４のガラス管１９の外形に至る接線Ａ１で結ばれた直線の接点Ａ２から直管型ＬＥＤランプ１４の中心を通る法線Ｎ１が垂直線Ｖ１に対する角度θ２との関係が、θ１≦θ２となる位置に配置される。
従って、直管型ＬＥＤランプ１４は、点灯時に、上方の影となる反射板１５の範囲の垂直線Ｖ１に対する角度θ１と、反射板１５の額縁部２６から直管型ＬＥＤランプ１４のガラス管１９の外形に至る接線Ａ１で結ばれた直線の接点Ａ２から直管型ＬＥＤランプ１４の中心を通る法線Ｎ１が垂直線Ｖ１に対する角度θ２との関係が、θ１≦θ２となる位置に配置されているために、出射された光成分が上方に向けて積極的に照射されることにより、反射板１５に映り込む暗がりを防止できる。
【００１６】
さらに、直管型ＬＥＤランプ１４は、給電側端子２１が給電側ソケット１２に取り付けられるとともにアース側端子２３がアース側ソケット１３に取り付けられることにより、反射板１５において、直管型ＬＥＤランプ１４の上面の暗がりとなる範囲Ｗ１と、器具本体１１に取り付けられる取付面部２４の幅寸法Ｗ２との関係が、Ｗ１≦Ｗ２となる位置に配置される。
従って、直管型ＬＥＤランプ１４は、点灯時に、反射板１５において、直管型ＬＥＤランプ１４の上面の暗がりとなる範囲Ｗ１と、器具本体１１に取り付けられる取付面部２４の幅寸法Ｗ２との関係が、Ｗ１≦Ｗ２となる位置に配置されているために、出射された光成分が上方に向けて積極的に照射されることにより、反射板１５に映り込む暗がりを防止できる。
【００１７】
以上、説明したように第１実施形態の照明器具１０によれば、点灯時に、上方の影となる反射板１５の範囲の垂直線Ｖ１に対する角度θ１と、反射板１５の額縁部２６から直管型ＬＥＤランプ１４のガラス管１９の外形に至る接線Ａ１で結ばれた直線の接点Ａ２から直管型ＬＥＤランプ１４の中心を通る法線Ｎ１が垂直線Ｖ１に対する角度θ２との関係が、θ１≦θ２となる位置に直管型ＬＥＤランプ１４が配置されるために、直管型ＬＥＤランプ１４から出射された光成分が上方に向けて積極的に照射されることにより、反射板１５に映り込む暗がりを防止して意匠性を向上でき、光学的な特性を改善できる。
【００１８】
また、第１実施形態の照明器具１０によれば、点灯時に、反射板１５において、直管型ＬＥＤランプ１４の上面の暗がりとなる範囲Ｗ１と、器具本体１１に取り付けられる取付面部２４の幅寸法Ｗ２との関係が、Ｗ１≦Ｗ２となる位置に直管型ＬＥＤランプ１４が配置されているために、直管型ＬＥＤランプ１４から出射された光成分が上方に向けて積極的に照射されることにより、反射板１５に映り込む暗がりを防止して意匠性を向上でき、光学的な特性を改善できる。
【００１９】
（第２実施形態）
次に、本発明に係る第２実施形態の照明器具について説明する。
なお、以下の各実施形態において、前述した第１実施形態と重複する構成要素や機能的に同様な構成要素については、図中に同一符号あるいは相当符号を付することによって説明を簡略化あるいは省略する。
【００２０】
図３に示すように、本発明に係る第２実施形態の照明器具３０は、反射板３１が、上端部に器具本体１１への取付面部３２を有し、取付面部３２の両側部の内面に上方に向けて凸面に形成された湾曲状の一対の反射面３３を有する。反射板３１は、反射面３３の下端部に額縁部３４を有する。
【００２１】
第２実施形態の照明器具３０によれば、点灯時に、上方の影となる反射板３１の範囲の垂直線Ｖ１に対する角度θ１と、反射板３１の額縁部３４から直管型ＬＥＤランプ１４のガラス管１９の外形に至る接線Ａ１で結ばれた直線の接点Ａ２から直管型ＬＥＤランプ１４の中心を通る法線Ｎ１が垂直線Ｖ１に対する角度θ２との関係が、θ１≦θ２となる位置に直管型ＬＥＤランプ１４が配置されるために、直管型ＬＥＤランプ１４から出射された光成分が上方に向けて積極的に照射されることにより、反射板３１に映り込む暗がりを防止して意匠性を向上でき、光学的な特性を改善できる。
【００２２】
また、第２実施形態の照明器具３０によれば、点灯時に、反射板３１において、直管型ＬＥＤランプ１４の上面の暗がりとなる範囲Ｗ１と、器具本体１１に取り付けられる取付面部３２の幅寸法Ｗ２との関係が、Ｗ１≦Ｗ２となる位置に直管型ＬＥＤランプ１４が配置されているために、直管型ＬＥＤランプ１４から出射された光成分が上方に向けて積極的に照射されることにより、反射板３１に映り込む暗がりを防止して意匠性を向上でき、光学的な特性を改善できる。
【００２３】
（第３実施形態）
次に、本発明に係る第３実施形態の照明器具について説明する。
図４に示すように、本発明に係る第３実施形態の照明器具４０は、反射板４１が、等脚台形状に形成されており、上端部に器具本体１１への取付面部４２を有し、取付面部４２の両側部の内面に平面でハ字形状の一対の反射面４３を有する。反射板４１は、反射面４３の下端部にフランジ形状の額縁部４４を有する。
【００２４】
第３実施形態の照明器具４０によれば、点灯時に、上方の影となる反射板４１の範囲の垂直線Ｖ１に対する角度θ１と、反射板４１の額縁部４４から直管型ＬＥＤランプ１４のガラス管１９の外形に至る接線Ａ１で結ばれた直線の接点Ａ２から直管型ＬＥＤランプ１４の中心を通る法線Ｎ１が垂直線Ｖ１に対する角度θ２との関係が、θ１≦θ２となる位置に直管型ＬＥＤランプ１４が配置されるために、直管型ＬＥＤランプ１４から出射された光成分が上方に向けて積極的に照射されることにより、反射板４１に映り込む暗がりを防止して意匠性を向上でき、光学的な特性を改善できる。
【００２５】
また、第３実施形態の照明器具４０によれば、点灯時に、反射板４１において、直管型ＬＥＤランプ１４の上面の暗がりとなる範囲Ｗ１と、器具本体１１に取り付けられる取付面部４２の幅寸法Ｗ２との関係が、Ｗ１≦Ｗ２となる位置に直管型ＬＥＤランプ１４が配置されているために、直管型ＬＥＤランプ１４から出射された光成分が上方に向けて積極的に照射されることにより、反射板４１に映り込む暗がりを防止して意匠性を向上でき、光学的な特性を改善できる。
【００２６】
（第４実施形態）
次に、本発明に係る第４実施形態の照明器具について説明する。
図５に示すように、本発明に係る第４実施形態の照明器具５０は、一対の直管型ＬＥＤランプ１４を装備しており、反射板５１が、垂直断面視で非対称のお椀形状を一対に有する。反射板５１は、上端部に器具本体１１への一対の取付面部５２を有し、取付面部５２の一方側の内面に湾曲状であって小さい湾曲率を有する第１反射面５３を有し、取付面部５２の他方側の内面に湾曲状であって大きい湾曲率を有する第２反射面５４を有する。反射板５１は、第１反射面５３側の下端部にフランジ形状の額縁部５５を有し、一対のお椀形状の中央部に壁部５６を有する。
【００２７】
第４実施形態の照明器具５０によれば、点灯時に、上方の影となる反射板５１の範囲の垂直線Ｖ１に対する角度θ１と、反射板５１の額縁部５５から直管型ＬＥＤランプ１４のガラス管１９の外形に至る接線Ａ１で結ばれた直線の接点Ａ２から直管型ＬＥＤランプ１４の中心を通る法線Ｎ１が垂直線Ｖ１に対する角度θ２との関係が、θ１≦θ２となる位置に直管型ＬＥＤランプ１４が配置されるために、直管型ＬＥＤランプ１４から出射された光成分が上方に向けて積極的に照射されることにより、反射板５１に映り込む暗がりを防止して意匠性を向上でき、光学的な特性を改善できる。
【００２８】
また、第４実施形態の照明器具５０によれば、点灯時に、反射板５１において、直管型ＬＥＤランプ１４の上面の暗がりとなる範囲Ｗ１と、器具本体１１に取り付けられる取付面部５２の幅寸法Ｗ２との関係が、Ｗ１≦Ｗ２となる位置に直管型ＬＥＤランプ１４が配置されているために、直管型ＬＥＤランプ１４から出射された光成分が上方に向けて積極的に照射されることにより、反射板５１に映り込む暗がりを防止して意匠性を向上でき、光学的な特性を改善できる。
【００２９】
なお、本発明の照明器具においてＬＥＤ，ＬＥＤ基板，ＬＥＤユニット等は、前述した各実施形態に限定されるものでなく、適宜な変形や改良等が可能である。
【符号の説明】
【００３０】
１  取付面
１０，３０，４０，５０  照明器具
１１  器具本体
１４  直管型ＬＥＤランプ
１５，３１，４１，５１  反射板
２４，３２，４２，５２  取付面部
２７  ＬＥＤ
【図１】
0005628637.tif 000002
【図２】
0005628637.tif 000003
【図３】
0005628637.tif 000004
【図４】
0005628637.tif 000005
【図５】
0005628637.tif 000006
【図６】
0005628637.tif 000007
【図７】
0005628637.tif 000008